(57)【要約】【課題】端子金具による端子収容室の内壁面の傷付けを抑制できる端子金具の提供。【解決手段】端子金具１は、板状材料から構成されると共に、長手方向に並んだ箱部（２０）及び胴体部（３０）、並びに、箱部と胴体部との間に設けられた切欠き部（５０）、を備える。箱部（２０）は、板状材料の側縁から延出し且つ板状材料の一方の主面（２１ａ）に重なるように湾曲した腕状部分（２２）を有し、胴体部（３０）は、板状材料の側縁が腕状部分（２２）が湾曲する向きに湾曲した湾曲側縁（３２）を有し、切欠き部（５０）は、箱部（２０）と胴体部（３０）との間において、板状材料の側縁から幅方向内側に窪んだ凹状部分を有し、板状材料の幅方向における箱部の大きさ（ａ）と、幅方向における胴体部の大きさ（ｂ）と、が異なる。【選択図】図１
2018156905.tif 000002
【特許請求の範囲】
【請求項１】
板状材料から構成されると共に、長手方向に並んだ箱部及び胴体部、並びに、前記箱部と前記胴体部との間に設けられた切欠き部、を備えた端子金具であって、
前記箱部は、
前記板状材料の側縁から延出し且つ前記板状材料の一方の主面に重なるように湾曲した腕状部分を有し、
前記胴体部は、
前記板状材料の側縁が前記腕状部分が湾曲する向きに湾曲した湾曲側縁を有し、
前記切欠き部は、
前記箱部と前記胴体部との間において、前記板状材料の側縁から幅方向内側に窪んだ凹状部分を有し、
前記板状材料の幅方向における前記箱部の大きさと、前記幅方向における前記胴体部の大きさと、が異なる、
端子金具。
【請求項２】
請求項１に記載の端子金具において、
前記箱部の前記腕状部分が、
平板状の箇所と、前記平板状の箇所と前記板状材料とを繋ぐ湾曲した箇所と、を有すると共に、前記平板状の箇所の全てが前記一方の主面と対面し且つ近接するように配置されている、
端子金具。
【請求項３】
請求項２に記載の端子金具において、
前記切欠き部の前記凹状部分の最深箇所と、前記箱部の前記腕状部分と前記板状材料との接続点と、が隣接し、
前記切欠き部の前記凹状部分の最深箇所と、前記胴体部の前記湾曲側縁の湾曲箇所と、が隣接する、
端子金具。
【請求項４】
請求項３に記載の端子金具において、
前記切欠き部の前記凹状部分を構成する窪み面の少なくとも一部が、前記板状材料の幅方向外側に向いている、
端子金具。
【発明の詳細な説明】
【技術分野】
【０００１】
本発明は、板状材料から構成されると共に、長手方向に並んだ箱部及び胴体部、並びに、箱部と胴体部との間に設けられた切欠き部、を備えた端子金具、に関する。
【背景技術】
【０００２】
従来から、金属板を所定の予備形状に打ち抜くことによって板状材料を形成し、その板状材料に対して所定の曲げ加工を施すことによって端子金具を製造する手法が提案されている。例えば、従来の端子金具の一つは、相手側端子（メス端子）に挿入されるタブ部と、端子金具を収容するハウジングへの保持固定のための箱部と、電線との接続のための胴体部と、が長手方向に順に並ぶように構成されている。更に、箱部と胴体部との間には、両者を分離して加工を容易にするための切欠き部が設けられている（例えば、特許文献１を参照）。
【先行技術文献】
【特許文献】
【０００３】
【特許文献１】特許４３７９２３１号公報
【発明の概要】
【発明が解決しようとする課題】
【０００４】
上述した従来の端子金具は、箱部の内側に比較的広い中空空間が形成される程度に箱部の高さ（即ち、板状材料の厚さ方向における箱部の上面部と底面部との間の距離）が大きい。これに対し、発明者は、端子金具の薄型化を図る等の観点から、箱部の高さを出来る限り小さくする（いわゆる低背化）を試みた。
【０００５】
その結果、発明者によれば、不用意に箱部の高さを小さくすると、曲げ加工の際に従来の端子金具に比べて箱部の上面部を底面部に近付けるように板状材料を湾曲させることに起因し、湾曲箇所の周辺に大きな応力集中が生じることが明らかになった。このとき、胴体部の側縁も箱部と同様に湾曲している場合、箱部と胴体部とに挟まれる領域（具体的には、上述したように加工性の観点から設けられている切欠き部）に、箱部による応力集中に加えて胴体部の側縁の湾曲による応力集中も生じ、その領域（切欠き部）において、端子金具の幅方向外側に向けて押し出されるように変形した凸状変形部が形成される場合があることが明らかになった。
【０００６】
このような凸状変形部が形成されると、端子金具をハウジングの端子収容室に挿入する際、凸状変形部が端子収容室の内壁面を傷付ける可能性がある。端子収容室の内壁面に傷が付くと、その際に生じた削りカスに起因して端子金具の電気的特性が低下する可能性がある。更に、端子収容室の内壁面に防水シールを装着する場合、内壁面の傷に起因して防水性が低下する可能性もある。
【０００７】
本発明は、上述した事情に鑑みてなされたものであり、その目的は、端子金具の箱部の高さを小さくすることと、端子金具を収容する端子収容室の保護と、を両立可能な端子金具、を提供することにある。
【課題を解決するための手段】
【０００８】
前述した目的を達成するために、本発明に係る端子金具は、下記（１）〜（４）を特徴としている。
（１）
板状材料から構成されると共に、長手方向に並んだ箱部及び胴体部、並びに、前記箱部と前記胴体部との間に設けられた切欠き部、を備えた端子金具であって、
前記箱部は、
前記板状材料の側縁から延出し且つ前記板状材料の一方の主面に重なるように湾曲した腕状部分を有し、
前記胴体部は、
前記板状材料の側縁が前記腕状部分が湾曲する向きに湾曲した湾曲側縁を有し、
前記切欠き部は、
前記箱部と前記胴体部との間において、前記板状材料の側縁から幅方向内側に窪んだ凹状部分を有し、
前記板状材料の幅方向における前記箱部の大きさと、前記幅方向における前記胴体部の大きさと、が異なる、
端子金具であること。
（２）
上記（１）に記載の端子金具において、
前記箱部の前記腕状部分が、
平板状の箇所と、前記平板状の箇所と前記板状材料とを繋ぐ湾曲した箇所と、を有すると共に、前記平板状の箇所の全てが前記一方の主面と対面し且つ近接するように配置されている、
端子金具であること。
（３）
上記（２）に記載の端子金具において、
前記切欠き部の前記凹状部分の最深箇所と、前記箱部の前記腕状部分と前記板状材料との接続点と、が隣接し、
前記切欠き部の前記凹状部分の最深箇所と、前記胴体部の前記湾曲側縁の湾曲箇所と、が隣接する、
端子金具であること。
（４）
上記（３）に記載の端子金具において、
前記切欠き部の前記凹状部分を構成する窪み面の少なくとも一部が、前記板状材料の幅方向外側に向いている、
端子金具であること。
【０００９】
上記（１）の構成の端子金具によれば、箱部と胴体部との幅方向における大きさ（以下「幅寸法」ともいう。）が異なる。よって、箱部の高さを小さくするように加工した場合において、幅方向外側に向けて押し出されるように変形した凸状変形部が切欠き部に発生しても、凸状変形部の幅方向外側端が、箱部と胴体部とのうち幅寸法が大きい方の幅方向外側端よりも幅方向の内側に位置し易くなる。換言すると、仮に凸状変形部が生じても、箱部と胴体部との幅寸法が同じである場合に比べ、箱部または胴体部によって凸状変形部の幅方向への飛び出しを抑制し易くなる。その結果、箱部と胴体部との幅寸法が同じである場合に比べ、凸状変形部が端子収容室の内壁面を傷付ける可能性が低くなる。よって、本構成の端子金具によれば、端子金具の箱部の高さを小さくすることと、端子金具を収容する端子収容室の保護と、を両立できる。
【００１０】
更に、端子収容室をより確実に保護する観点から、箱部と胴体部とのうち幅寸法が大きい方の幅方向外側端よりも幅方向の内側に凸状変形部の幅方向外側端が位置するように、箱部および胴体部が構成されることが好ましい。
【００１１】
上記（２）の構成の端子金具によれば、箱部を構成する腕状部分が、板状材料の側縁の近傍において大きく湾曲することになる。別の言い方をすると、腕上部分を板状材料の主面に近接するまで湾曲させることで、厚さ方向における箱部の大きさ（箱部の高さ）と、厚さ方向における湾曲箇所の大きさ（湾曲箇所の高さ）と、がほぼ一致するまで、箱部の高さを小さくする（低背化する）ことになる。そのため、箱部の湾曲箇所に大きな歪みが発生し、この大きな歪みに起因して凸状変形部が切欠き部により一層発生し易くなる。よって、低背化と端子収容室の保護を両立するという技術的利点が更に著しく発揮されることになる。
【００１２】
上記（３）の構成の端子金具によれば、大きな応力集中が生じることになる箇所（箱部の腕状部分と板状材料との接続点、及び、胴体部の湾曲側縁）と、切欠き部の凹状部分の最深箇所と、が隣接する。そのため、腕状部分および湾曲側縁の歪みが切欠き部の凹状部分の最深箇所に集中し易く、その結果、凸状変形部が切欠き部により一層発生し易くなる。よって、低背化と端子収容室の保護を両立するという技術的利点が更に著しく発揮されることになる。
【００１３】
ところで、上記「隣接」は、箱部の腕状部分の湾曲および胴体部の側縁部の湾曲が切欠き部の最深箇所の周辺に応力集中を生じさせ得る程度に、最深箇所と腕状部分の接続点との距離および最深箇所と側縁部の湾曲箇所との距離が小さいこと、を表す。上記「隣接」に該当する具体的な距離は、板状材料の素材および厚さ等により異なるが、通常、実験等によって特定され得る。
【００１４】
上記（４）の構成の端子金具によれば、腕状部分の接続点および湾曲側縁の湾曲箇所が、上記（３）のように切欠き部の凹状部分の最深箇所に隣接し、且つ、切欠き部の凹状部分を構成する窪み面の少なくとも一部が幅方向外側に向くような位置に、存在することになる。このような場合、発明者の検討によれば、凸状変形部が切欠き部により一層発生し易くなることが確認されている。よって、低背化と端子収容室の保護を両立するという技術的利点が更に著しく発揮されることになる。
【発明の効果】
【００１５】
本発明によれば、端子金具の箱部の高さを小さくすることと、端子金具を収容する端子収容室の保護と、を両立可能な端子金具を提供できる。
【００１６】
以上、本発明について簡潔に説明した。更に、以下に説明される発明を実施するための形態（以下「実施形態」という。）を添付の図面を参照して通読することにより、本発明の詳細は更に明確化されるであろう。
【図面の簡単な説明】
【００１７】
【図１】図１は、本発明の実施形態に係る端子金具の斜視図である。
【図２】図２（ａ）は、図１に示す端子金具の上面図であり、図２（ｂ）は、図２（ａ）のＢ部拡大図である。
【図３】図３（ａ）は、図２（ａ）のＡ−Ａ断面図であり、図３（ｂ）は、図３（ａ）のＣ部拡大図である。
【図４】図４（ａ）は、図１に示す端子金具の形成のために湾曲加工される金属製の板状材料の上面図であり、図４（ｂ）は、図４（ａ）のＤ部拡大図である。
【図５】図５は、本発明の実施形態の第１の変形例に係る端子金具の切欠き部の周囲を拡大した斜視図である。
【図６】図６（ａ）は、本発明の実施形態の第２の変形例に係る端子金具の斜視図であり、図６（ｂ）は、本発明の実施形態の第３の変形例に係る端子金具の斜視図である。
【発明を実施するための形態】
【００１８】
＜実施形態＞
以下、図面を参照しながら、本発明の実施形態に係る端子金具１について説明する。
【００１９】
図１〜図４に示すように、端子金具１は、低背化された（高さが低い）金属製のオス端子である。端子金具１を端子収容室に収容するハウジング（図示省略）と、メス端子（図示省略）を収容する相手側ハウジング（図示省略）とを嵌合することで、端子金具１（オス端子）とメス端子とが電気的に接続される。
【００２０】
端子金具１は、タブ部１０と、タブ部１０の後方に形成された箱部２０と、箱部２０の後方に形成された胴体部３０と、胴体部３０の後方に形成されたバレル部４０と、箱部２０と胴体部３０との間に位置する切欠き部５０と、胴体部３０とバレル部４０との間に位置する繋ぎ部６０と、を備える。
【００２１】
端子金具１は、図４（ａ）に示す金属製の板状材料を湾曲加工することで形成されている。図４（ａ）に示す板状材料は、１枚の金属板を打ち抜いて形成される。よって、図４（ａ）に示す板状材料の側面（側縁）は、全て打ち抜き面である。以下、説明の便宜上、図１に示すように、「前後方向」、「幅方向」、「上下方向」、「前」、「後」、「上」、及び「下」を定義する。「前後方向」、「幅方向」及び「上下方向」は、互いに直交している。
【００２２】
タブ部１０は、メス端子に挿入・接続される部分である。タブ部１０は、前後方向に延びる１枚の矩形状の平板部で構成されている。タブ部１０の前端部１１は、メス端子への挿入容易化等のため、先細りのテーパ形状を有している。
【００２３】
箱部２０は、ハウジングの端子収容室に収容された端子金具１の抜け止め用に端子収容室に設けられたランス（係止片）にその上側後端面を係止させるために設けられている。なお、箱部２０は、端子収容室内における端子金具１のねじれ方向のがたつきを抑制する機能を有する場合もある。
【００２４】
箱部２０は、平板状の底部２１と、底部２１の幅方向両端縁からそれぞれ延出して底部２１の上面に重なるように湾曲した（折り返された）一対の腕状部分２２と、により構成されている。一対の腕状部分２２の先端面同士は、箱部２０の幅方向中央位置にて対面接触しており、一対の腕状部分２２が箱部２０の上壁を構成している。よって、端子金具１を端子収容室に挿入するとき、一対の腕状部分２２の上側後端面が、端子収容室に設けられたランス（係止片）に係止されることになる。
【００２５】
各腕状部分２２は、底部２１における折り曲げ線Ｌ２の位置から上方へ湾曲開始している（図４（ａ）を参照）。折り曲げ線Ｌ２は、湾曲した腕状部分２２と平面状の板状材料との境界線である、とも言い換え得る。後述する折り曲げ線Ｌ３，Ｌ５，Ｌ６も、同様に言い換え得る。各腕状部分２２は、湾曲向き正面側の面２２ａ（図３（ｂ）を参照）が底部２１の上面２１ａに近接するように湾曲している（図３を参照）。その結果、箱部２０の幅方向の側面２２ｂ（図１を参照）は、幅方向外側に突出する曲面のみから構成されている。換言すると、端子金具１の厚さ方向における箱部２０の大きさ（箱部２０の高さ）と、その厚さ方向における湾曲箇所（側面２２ｂ）の大きさ（側面２２ｂの高さ）と、がほぼ一致するまで、箱部２０の高さが小さくなっている。以下、箱部２０の幅寸法（具体的には、一対の側面２２ｂにおける幅方向突出端同士の幅方向の間隔）を「ａ」とする（図２（ａ）を参照）。箱部２０の高さ寸法（厚さ）は、箱部２０の幅寸法ａより小さい。
【００２６】
胴体部３０は、ハウジングの端子収容室に収容された端子金具１の主としてねじれ方向のがたつきを抑制するために設けられている。胴体部３０は、平板状の底部２１から連続する平板状の底部３１と、底部３１の幅方向両端縁からそれぞれ湾曲（屈曲）して上方に延びる一対の側縁部３２と、により構成されている。
【００２７】
底部３１における幅方向中央位置には、片持ち梁状の形状を有するように板状材料を打ち抜くことによって形成された突部３３が形成されている（特に、図３（ａ）を参照）。突部３３は、底部３１の所定位置から前方且つ下方に向けて斜めに延び、その後前方へ向けて延びている。即ち、突部３３は、底部３１の下面から下側にオフセットしており、その先端面（前端面）３３ａが底部３１の下面から露出している。突部３３は、端子金具１を端子収容室に挿入するとき、先端面３３ａを端子収容室内の突起等に押し当てることで端子金具１の過度な挿入を防ぐために設けられている。
【００２８】
各側縁部３２は、底部３１における折り曲げ線Ｌ３の位置から上方へ湾曲開始している（図４（ａ）を参照）。以下、胴体部３０の幅寸法（具体的には、一対の側縁部３２の外側面３２ｂ同士の幅方向の間隔）を「ｂ」とする（図２（ａ）を参照）。胴体部３０の高さ寸法（即ち、側縁部３２の上下寸法）は、胴体部３０の幅寸法ｂより小さい。
【００２９】
本例では、胴体部３０の幅寸法ｂが、箱部２０の幅寸法ａより大きい（図２（ａ）を参照）。これは、胴体部３０の折り曲げ線Ｌ３が、箱部２０の折り曲げ線Ｌ２より幅方向外側に位置していることに因る。
【００３０】
バレル部４０は、端子金具１に接続される電線の先端部を加締め固定するために設けられている。バレル部４０は、芯線加締め部４１と、芯線加締め部４１の後方に形成された被覆加締め部４２と、を備える。芯線加締め部４１は、電線の先端部における被覆を除去して露出した芯線を加締め固定する部分であり、下側に若干湾曲した底部４３と、底部４３の幅方向両端縁からそれぞれ上方且つ外側に向けて延びる一対の加締め片４４とで構成されている。被覆加締め部４２は、電線の先端部における被覆を加締め固定する部分であり、底部４３から連続すると共に下側に若干湾曲した底部４５と、底部４５の幅方向両端縁からそれぞれ上方且つ外側に向けて延びる一対の加締め片４６とで構成されている。
【００３１】
切欠き部５０は、箱部２０と胴体部３０との境界部分に位置しており、箱部２０と胴体部３０との間において、板状材料の幅方向両側のそれぞれの側縁が幅方向内側に凹んだ部分である（図４（ａ）を参照）。本例では、各切欠き部５０の凹状部分の最深箇所５１における幅方向内側の近傍部分が、折り曲げ線Ｌ５の位置から上方へ湾曲開始している（図４（ａ）を参照）。
【００３２】
換言すると、切欠き部５０の最深箇所５１と箱部２０の湾曲箇所（折り曲げ線Ｌ２の位置）とが隣接し、且つ、切欠き部５０の最深箇所５１と胴体部３０の湾曲箇所（折り曲げ線Ｌ３の位置）とが隣接している。加えて、折り曲げ線Ｌ２，Ｌ３が、切欠き部５０の最深箇所５１より幅方向内側に位置している。その結果、特に、図２（ｂ）及び図３（ｂ）に示すように、切欠き部５０の最深箇所５１における凹状部分を構成する窪み面５２（打ち抜き面）の法線が、略上側に向いている。
【００３３】
繋ぎ部６０は、胴体部３０とバレル部４０とを繋ぐ部分である。繋ぎ部６０は、底部３１及び底部４３の双方から連続する底部６１と、底部６１の幅方向両端縁からそれぞれ湾曲（屈曲）して上方に延びる一対の側縁部６２と、により構成されている。各側縁部６２は、底部６１における折り曲げ線Ｌ６の位置から上方へ湾曲開始している（図４（ａ）を参照）。繋ぎ部６０の高さ寸法（即ち、側縁部６２の上下寸法）は、繋ぎ部６０の幅寸法より小さい。
【００３４】
ところで、端子金具１のように、特に箱部２０の高さが低いとき、板状材料の湾曲加工時において、箱部２０の湾曲箇所に発生する歪みが切欠き部５０の周辺に集中すること等に起因して、切欠き部５０の周辺に幅方向外側に突出する凸状変形部が形成される場合がある。従来の端子金具のように、箱部と胴体部との幅寸法が同じである場合、凸状変形部の幅方向外側端が、箱部及び胴体部の幅方向外側端より幅方向外側に位置し易い。このような凸状変形部が形成されると、端子金具をハウジングの端子収容室に挿入する際、凸状変形部が端子収容室の内壁面に接触して端子収容室の内壁面を傷付ける可能性がある。
【００３５】
これに対し、端子金具１では、箱部２０の幅寸法ａと胴体部３０の幅寸法ｂとが異なる（ａ＜ｂ、図２（ａ）を参照）。よって、板状材料の湾曲加工時において、凸状変形部が切欠き部５０に発生した場合、凸状変形部の幅方向外側端が、箱部２０より幅寸法が大きい胴体部３０の幅方向外側端（具体的には、外側面３２ｂ）より幅方向内側に位置し易くなる。その結果、箱部２０と胴体部３０との幅寸法が同じである従来の端子金具に比べ、凸状変形部が端子収容室の内壁面を傷付ける可能性が低くなる。よって、端子金具１は、端子金具１の箱部２０の高さを小さくすることと、端子金具１を収容する端子収容室の保護と、を両立できる。
【００３６】
なお、本例の端子金具１は、箱部２０と胴体部３０とのうち幅寸法が大きい胴体部３０の幅方向外側端（図２（ａ）における幅ｂに相当する位置）よりも幅方向の内側に凸状変形部の幅方向外側端が位置するように、箱部２０および胴体部３０が構成されている。そのため、端子収容室をより確実に保護できる。
【００３７】
＜他の態様＞
なお、本発明は上記各実施形態に限定されることはなく、本発明の範囲内において種々の変形例を採用できる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３８】
例えば、上記実施形態では、箱部２０の幅寸法ａが胴体部３０の幅寸法ｂより小さくなっている（図２（ａ）を参照）。これに対し、箱部２０の幅寸法ａが胴体部３０の幅寸法ｂより大きくなっていてもよい。この構成は、箱部２０の折り曲げ線Ｌ２（図４（ａ）を参照）が、胴体部３０の折り曲げ線Ｌ３より幅方向外側に位置するように、湾曲加工を行うことで実現され得る。この場合、凸状変形部の幅方向外側端が、胴体部３０より幅寸法が大きい箱部２０の幅方向外側端（具体的には、側面２２ｂ）より幅方向内側に位置し易くなる。その結果、箱部２０と胴体部３０との幅寸法が同じである従来の端子金具に比べ、凸状変形部が端子収容室の内壁面を傷付ける可能性が低くなる。
【００３９】
また、上記実施形態では、特に、図２（ｂ）及び図３（ｂ）に示すように、切欠き部５０の最深箇所５１における凹状部分を構成する窪み面５２（打ち抜き面）の法線が、略上側に向いている。これに対し、図５に示すように、切欠き部５０の最深箇所５１における凹状部分を構成する窪み面５２（打ち抜き面）の法線が、略幅方向外側に向いていてもよい。
【００４０】
図５に示す構成（箱部２０の幅寸法ａが胴体部３０の幅寸法ｂより小さい）は、例えば、折り曲げ線Ｌ２と切欠き部５０の最深箇所５１との幅方向位置が略同一となり、且つ、折り曲げ線Ｌ３が切欠き部５０の最深箇所５１より幅方向外側に位置するように、湾曲加工を行うことで実現され得る。他方、切欠き部５０の最深箇所５１における凹状部分を構成する窪み面５２が略幅方向外側に向き、且つ、箱部２０の幅寸法ａが胴体部３０の幅寸法ｂより大きい構成は、折り曲げ線Ｌ３と切欠き部５０の最深箇所５１との幅方向位置が略同一となり、且つ、折り曲げ線Ｌ２が切欠き部５０の最深箇所５１より幅方向外側に位置するように、湾曲加工を行うことで実現され得る。
【００４１】
なお、折り曲げ線Ｌ２，Ｌ３の位置が最深箇所５１から幅方向外側に極端に離れた位置にある場合、腕状部分２２及び側縁部３２の折り曲げが切欠き部５０に実質的な影響を及ぼさず、切欠き部５０への応力集中が生じ難くなる。そのため、この場合、切欠き部５０に凸状変形部が生じ難くなる。この点において、切欠き部５０の形状、板状材料の素材および厚さ等により、凸状変形部が生じ得る折り曲げ線Ｌ２，Ｌ３の位置は異なる。一例として、発明者の検討によれば、図４（ｂ）に示す形状の切欠き部５０の場合、最深箇所５１の周辺であって窪み面５２が曲面である領域（切欠き部５０の先端Ｒ領域）を折り曲げ線Ｌ２，Ｌ３が通過する場合、凸状変形部が生じ易いことが確認されている。別の言い方をすると、折り曲げ線Ｌ２，Ｌ３がその領域を通過する場合、最深箇所５１と腕状部分２２の接続点（Ｌ２）とが隣接し、最深箇所５１と側縁部３２の湾曲箇所（Ｌ３）とが隣接する、と言える。
【００４２】
また、上記実施形態では、端子金具１がオス端子であるため、端子金具１の前端部にタブ部１０が形成されている（図１を参照）。これに対し、端子金具がメス端子である場合には、図６（ａ）に示すように、タブ部１０に代えて、角筒状の筒状部１０Ａが形成されていてもよい。また、端子金具がメガネ端子である場合には、図６（ｂ）に示すように、タブ部１０に代えて、ドーナツ状の平板部１０Ｂが形成されていてもよい。
【００４３】
ここで、上述した本発明に係る端子金具の実施形態の特徴をそれぞれ以下（１）〜（４）に簡潔に纏めて列記する。
（１）
板状材料から構成されると共に、長手方向に並んだ箱部（２０）及び胴体部（３０）、並びに、前記箱部と前記胴体部との間に設けられた切欠き部（５０）、を備えた端子金具（１）であって、
前記箱部（２０）は、
前記板状材料の側縁から延出し且つ前記板状材料の一方の主面（２１ａ）に重なるように湾曲した腕状部分（２２）を有し、
前記胴体部（３０）は、
前記板状材料の側縁が前記腕状部分（２２）が湾曲する向きに湾曲した湾曲側縁（３２）を有し、
前記切欠き部（５０）は、
前記箱部（２０）と前記胴体部（３０）との間において、前記板状材料の側縁から幅方向内側に窪んだ凹状部分を有し、
前記板状材料の幅方向における前記箱部の大きさ（ａ）と、前記幅方向における前記胴体部の大きさ（ｂ）と、が異なる、
端子金具。
（２）
上記（１）に記載の端子金具において、
前記箱部（２０）の前記腕状部分（２２）が、
平板状の箇所（２２ａ）と、前記平板状の箇所と前記板状材料とを繋ぐ湾曲した箇所（２２ｂ）と、を有すると共に、前記平板状の箇所（２２ａ）の全てが前記一方の主面（２１ａ）と対面し且つ近接するように配置されている、
端子金具。
（３）
上記（２）に記載の端子金具において、
前記切欠き部の前記凹状部分の最深箇所（５１）と、前記箱部の前記腕状部分（２２）と前記板状材料との接続点（Ｌ２）と、が隣接し、
前記切欠き部の前記凹状部分の最深箇所（５１）と、前記胴体部の前記湾曲側縁（３２）の湾曲箇所（Ｌ３）と、が隣接する、
端子金具。
（４）
上記（３）に記載の端子金具において、
前記切欠き部（５０）の前記凹状部分を構成する窪み面の少なくとも一部（５１）が、前記板状材料の幅方向外側に向いている、
端子金具。
【符号の説明】
【００４４】
１    端子金具
２０    箱部
２１ａ  上面（主面）
２２    腕状部分
２２ａ  湾曲向き正面側の面（平板状の箇所）
２２ｂ  側面（湾曲した箇所）
３０    胴体部
３２    側縁部（湾曲側縁）
５０    切欠き部
５１    最深箇所
５２    凹状部分を構成する窪み面
ａ      箱部の幅寸法（幅方向の大きさ）
ｂ      胴体部の幅寸法（幅方向の大きさ）
Ｌ２    折り曲げ線（湾曲箇所）
Ｌ３    折り曲げ線（湾曲箇所）
【図１】
2018156905.tif 000003
【図２】
2018156905.tif 000004
【図３】
2018156905.tif 000005
【図４】
2018156905.tif 000006
【図５】
2018156905.tif 000007
【図６】
2018156905.tif 000008